(57)【要約】【課題】コストを低減し、工期を短縮化するとともに、初動の操作力が低減でき、アシスト効果が充分に発揮できるようにする。【解決手段】引戸２の開操作時の初動を補助する引戸の初動アシスト装置１である。縦枠４から引戸２の戸先側端部に向けて突出して引戸２を押し出す引戸押圧アーム６と、前記引戸押圧アーム６を操作する操作部材８と、前記引戸押圧アーム６と操作部材８とを連結する作動伝達部材９とを備えた初動アシスト装置１が、引戸２の戸先側の縦枠４に設けられている。前記引戸押圧アーム６は、室内外方向に沿って配置された回動支軸１６によって揺動自在に支持され、前記操作部材８の操作に連動して前記回動支軸１６を中心に回動し前記縦枠４から突出する。【選択図】図２
2020084404.tif 000002
【特許請求の範囲】
【請求項１】
引戸の開操作時の初動を補助する引戸の初動アシスト装置であって、
縦枠から引戸の戸先側端部に向けて突出して引戸を押し出す引戸押圧アームと、前記引戸押圧アームを操作する操作部材と、前記引戸押圧アームと操作部材とを連結する作動伝達部材とを備えた初動アシスト装置が、引戸の戸先側の縦枠に設けられていることを特徴とする引戸の初動アシスト装置。
【請求項２】
前記引戸押圧アームは、室内外方向に沿って配置された支軸によって揺動自在に支持され、前記操作部材の操作に連動して前記支軸を中心に回動し前記縦枠から突出するように成されている請求項１記載の引戸の初動アシスト装置。
【請求項３】
前記引戸押圧アームは、付勢手段によって縦枠に没入する方向の付勢力が付与されている請求項１、２いずれかに記載の引戸の初動アシスト装置。
【請求項４】
前記操作部材は、付勢手段によって初期位置に戻る方向の付勢力が付与されている請求項１〜３いずれかに記載の引戸の初動アシスト装置。
【請求項５】
前記操作部材は、前記縦枠から突出して引戸の開操作時に使用者が操作する操作部材本体を備え、
前記操作部材本体は、前記縦枠側に折り畳み可能に設けられている請求項１〜４いずれかに記載の引戸の初動アシスト装置。
【請求項６】
前記操作部材は、前記縦枠の下端部に取り付けられており、該操作部材を使用者が足で踏んで下方に移動することにより前記引戸押圧アームを操作する請求項１〜５いずれかに記載の引戸の初動アシスト装置。
【請求項７】
前記操作部材は、前記縦枠の高さ方向の中間部に取り付けられており、該操作部材を使用者が手で移動又は回転することにより前記引戸押圧アームを操作する請求項１〜５いずれかに記載の引戸の初動アシスト装置。
【発明の詳細な説明】
【技術分野】
【０００１】
本発明は、引戸の開操作時の初動を補助する引戸の初動アシスト装置に関する。
【背景技術】
【０００２】
従来より、開き状態から所定の位置まで閉めた後は、閉まり位置まで自動的に引き込んで閉止させる引込み装置が備えられた引戸が知られている。かかる引込み装置を備えた引戸では、引戸を開操作する際の初動において、引戸の開操作に伴い前記引込み装置に備えられたスライダーをスプリング部材の付勢力に抗して移動させる必要があるため、スプリング部材の付勢力に伴う開方向の力が余分にかかり、引戸が重たい感じを与えていた。
【０００３】
このような問題点を解決するため、出願人は、下記特許文献１において、引戸の上端部及び戸枠の鴨居側との間において、引込み装置本体と前記引込み装置本体側に突出した状態で固設される係合ピンとからなる引込み装置を備えるとともに、引戸の戸先側に取り付けられた引戸の開操作を補助するアシストハンドルを備えた引戸を提案した。
【０００４】
具体的には、前記引込み装置本体は、引戸の開閉方向に沿ってスライド可能に設けられるとともに、前記係合ピンと係脱する関係にあるスライダーと、前記スライダーに制動力を与えるダンパーと、前記スライダーに引戸の引込み方向の付勢力を与えるスプリング部材とを備え、引戸の開操作に伴い、前記係合ピンに係合した前記スライダーがスプリング部材の付勢力に抗して引戸端部側に移動するとともに、該スライダーを仮停止状態とすることにより前記係合ピンとの係合が解除され、引戸の閉操作に伴い、前記スライダーが前記係合ピンに係合して前記仮停止状態が解除されることにより、前記ダンパーによる制動力を受けながら前記スプリング部材の付勢力により引戸を閉まり位置まで引き込むように構成されている。一方、前記アシストハンドルは、所定の角度範囲で揺動可能とされるハンドルと、引戸の開操作時に前記ハンドル動作に連動して引戸の戸先側端部から戸枠側に突出して戸枠を蹴り出すことにより、引戸の開操作を補助する引戸押圧アームとを備え、前記引戸押圧アームによる蹴り出しのストローク長は、前記引込み装置のスライダーが引戸の開操作に伴い引戸端部側に移動して前記仮停止状態になるまでの区間長より長く設定するように構成されている。
【０００５】
これによって、開き状態から所定の位置まで閉めた後、閉まり位置まで自動的に引込んで閉止させる引込み装置を備えた引戸において、前記アシストハンドルによって開操作時の初動を補助することにより引戸を小さな力で開けることができるようになる。
【先行技術文献】
【特許文献】
【０００６】
【特許文献１】特開２０１６−２２３２５９号公報
【発明の概要】
【発明が解決しようとする課題】
【０００７】
しかしながら、上記特許文献１記載の引戸では、引戸の開操作時の初動を補助するアシストハンドルが引戸に取り付けられているため、既存の引戸にアシスト機能を後付けで付加しようとすると、既存の引戸をアシストハンドルが備えられた引戸に交換するか、既存の引戸にアシストハンドルを取り付けるための加工を行う必要があり、コストが嵩むとともに、工期が長期に及ぶ場合があった。
【０００８】
また、引戸にアシスト装置を設けると、その分だけ引戸の重量が重くなるため、引戸を開操作する際の初動に必要な力が大きくなり、アシスト機能を付加した効果が低減するおそれがあった。
【０００９】
そこで本発明の主たる課題は、既存の引戸に開操作時の初動を補助するアシスト機能を付加する場合でも、コストを低減し、工期を短縮化するとともに、初動の操作力が低減でき、アシスト効果が充分に発揮できるようにすることにある。
【課題を解決するための手段】
【００１０】
上記課題を解決するために請求項１に係る本発明として、引戸の開操作時の初動を補助する引戸の初動アシスト装置であって、
縦枠から引戸の戸先側端部に向けて突出して引戸を押し出す引戸押圧アームと、前記引戸押圧アームを操作する操作部材と、前記引戸押圧アームと操作部材とを連結する作動伝達部材とを備えた初動アシスト装置が、引戸の戸先側の縦枠に設けられていることを特徴とする引戸の初動アシスト装置が提供される。
【００１１】
上記請求項１記載の発明では、引戸の開操作時の初動を補助する引戸の初動アシスト装置が、引戸ではなく、引戸の戸先側の縦枠に設けられている。このため、既存の引戸に開操作時の初動を補助するアシスト機能を後付けで付加する場合、既存の引戸を交換や加工を行わずにそのまま使用し、既設の縦枠の引戸側端面に、前記初動アシスト装置が備えられた縦枠エレメントを取り付けるだけで施工できる。また、初動アシスト装置を新設の引戸に設ける場合には、前記初動アシスト装置が備えられた縦枠を引戸の戸先側の縦枠として使用することにより、簡単に前記初動アシスト装置が施工できる。このため、施工コストが低減でき、工期が短縮化できる。また、前記初動アシスト装置が、引戸ではなく、縦枠に設けられているため、引戸の重量が増加せず、引戸の重量増加に伴う初動に必要な力の増加もないため、初動の操作力が低減でき、前記初動アシスト装置によるアシスト効果が充分に発揮できるようになる。
【００１２】
請求項２に係る本発明として、前記引戸押圧アームは、室内外方向に沿って配置された支軸によって揺動自在に支持され、前記操作部材の操作に連動して前記支軸を中心に回動し前記縦枠から突出するように成されている請求項１記載の引戸の初動アシスト装置が提供される。
【００１３】
上記請求項２記載の発明では、前記引戸押圧アームによって引戸を押し出す機構について具体的に規定している。前記引戸押圧アームは、室内外方向に沿って配置された支軸によって揺動自在に支持され、前記操作部材の操作により前記支軸を中心に回動して縦枠から突出するという極めて簡単な機構で動作するため、この引戸押圧アームと操作部材とを、ワイヤ等からなる作動伝達部材によって連結することによって、操作部材の操作に連動して効率よく作動力が引戸押圧アームに伝達され、小さな力で引戸の初動を補助することが可能となる。
【００１４】
請求項３に係る本発明として、前記引戸押圧アームは、付勢手段によって縦枠に没入する方向の付勢力が付与されている請求項１、２いずれかに記載の引戸の初動アシスト装置が提供される。
【００１５】
上記請求項３記載の発明では、前記引戸押圧アームが、付勢手段によって縦枠に没入する方向の付勢力が付与されているため、前記引戸押圧アームが引戸を押し出した後、前記付勢手段の付勢力により縦枠に没入した元の位置に戻るため、前記引戸押圧アームが開口を通過する際に邪魔にならないとともに、引戸の外観が良好になる。なお、この付勢手段の付勢力は、引戸押圧アームを縦枠に没入させるだけの極めて小さな力であるため、引戸の開操作時に、この付勢力に対抗して引戸押圧アームを回動させる力が小さくて済み、あまり負担にはならない。
【００１６】
請求項４に係る本発明として、前記操作部材は、付勢手段によって初期位置に戻る方向の付勢力が付与されている請求項１〜３いずれかに記載の引戸の初動アシスト装置が提供される。
【００１７】
上記請求項４記載の発明では、前記操作部材が、付勢手段によって初期位置に戻る方向の付勢力が付与されているため、引戸の開操作後に、操作部材が初期位置に戻り、連続して開操作を行うことができるようになる。なお、この付勢手段の付勢力は、操作部材を初期位置に戻すだけの極めて小さな力であるため、引戸の開操作時に、この付勢力に対抗して操作部材を移動させる力が小さくて済み、あまり負担にはならない。
【００１８】
請求項５に係る本発明として、前記操作部材は、前記縦枠から突出して引戸の開操作時に使用者が操作する操作部材本体を備え、
前記操作部材本体は、前記縦枠側に折り畳み可能に設けられている請求項１〜４いずれかに記載の引戸の初動アシスト装置が提供される。
【００１９】
上記請求項５記載の発明では、縦枠から突出した状態で備えられる操作部材本体が、縦枠側に折り畳み可能に設けられているため、通常は、操作部材本体を引戸側に折り畳んだ状態にしておき、操作部材本体の縦枠からの突出量を最小限に抑え、人や物が衝突するのを軽減するとともに、外観が悪化するのを防止する。そして、引戸の開操作時に、使用者が操作部材本体を折り畳み状態から展開して縦枠から突出した状態とし、開操作を行う。
【００２０】
請求項６に係る本発明として、前記操作部材は、前記縦枠の下端部に取り付けられており、該操作部材を使用者が足で踏んで下方に移動することにより前記引戸押圧アームを操作する請求項１〜５いずれかに記載の引戸の初動アシスト装置が提供される。
【００２１】
上記請求項６記載の発明では、前記操作部材が、前記縦枠の下端部に取り付けられており、この操作部材によって前記引戸押圧アームを操作するには、操作部材を使用者が足で踏んで下方に移動することにより行う。これによって、手が不自由な人や手の力が弱い子供や高齢者でも、引戸を簡単に開操作することができるようになる。
【００２２】
請求項７に係る本発明として、前記操作部材は、前記縦枠の高さ方向の中間部に取り付けられており、該操作部材を使用者が手で移動又は回転することにより前記引戸押圧アームを操作する請求項１〜５いずれかに記載の引戸の初動アシスト装置が提供される。
【００２３】
上記請求項７記載の発明は、前記操作部材の変形例であり、前記縦枠の高さ方向の中間部に取り付けた場合において、この操作部材を使用者が手で移動又は回転することにより前記引戸押圧アームを操作するように成されている。本形態では、操作部材を手で操作できるため、車椅子に乗った人など脚の不自由な人などでも簡単に開操作が可能となる。
【発明の効果】
【００２４】
以上詳説のとおり本発明によれば、コストが低減でき、工期が短縮化できるとともに、初動の操作力が低減でき、アシスト効果が充分に発揮できる引戸の初動アシスト装置が提供できるようになる。
【図面の簡単な説明】
【００２５】
【図１】(A)は閉状態、(B)は開操作時における引戸２の正面図である。
【図２】初動アシスト装置１を備えた縦枠４を示す、(A)は平常時、(B)は開操作時における斜視図である。
【図３】初動アシスト装置１を示す、(A)は平常時、(B)は開操作時における斜視図である。
【図４】引戸押圧部５の分解斜視図である。
【図５】平常時における引戸押圧部５を示す、(A)は後方からの斜視図、(B)は前方からの斜視図である。
【図６】操作部７の分解斜視図である。
【図７】操作部７を示す斜視図である。
【図８】変形例に係る操作部７を示す斜視図である。
【図９】操作部材８の分解斜視図である。
【図１０】操作手順を示す、上段は斜視図、下段は側面図である。
【図１１】操作部７を縦枠４の高さ方向の中間に設けた場合における引戸２の正面図である。
【発明を実施するための形態】
【００２６】
以下、本発明の実施の形態について図面を参照しながら詳述する。
【００２７】
本発明に係る引戸２の初動アシスト装置１は、図１に示されるように、閉まり位置にある引戸２の開操作時の初動を補助するためのものである。前記引戸２は、建物の開口部３に、上枠、下枠及び左右縦枠からなる戸枠が設けられ、前記上枠及び下枠のほぼ全長に亘ってスライド可能に設置されている。図示例では、前記引戸２として片引き戸タイプのものが用いられており、前記戸枠のうち戸先側の縦枠４のみを図示し、その他の戸枠については図示を省略している。前記戸先側の縦枠４には、本発明に係る初動アシスト装置１が設けられている。なお、前記引戸２として吊戸を用いた場合には、前記戸枠のうち下枠は設けなくてもよい。
【００２８】
前記初動アシスト装置１は、図２及び図３に示されるように、前記戸先側の縦枠４から引戸２の戸先側端部に向けて突出して引戸２を開方向に押し出す引戸押圧アーム６を備えた引戸押圧部５と、前記引戸押圧アーム６を操作する操作部材８を備えた操作部７と、前記引戸押圧アーム６と操作部材８とを連結するワイヤ等からなる作動伝達部材９とから構成されている。この初動アシスト装置１は、引戸２の戸先側の縦枠４に設けられている。
【００２９】
このように、引戸２の初動アシスト装置１が、引戸２ではなく、引戸２の戸先側の縦枠４に設けられているため、アシスト機能が備えられていない既存の引戸に、開操作時の初動を補助するアシスト機能を後付けで付加する場合、既存の引戸を交換や加工を行わずにそのまま使用し、既設の縦枠の引戸側端面に、前記初動アシスト装置１が備えられた縦枠エレメントを取り付けるだけで施工できる。また、初動アシスト装置１を新設の引戸に設ける場合には、前記初動アシスト装置１が備えられた縦枠４を戸先側の縦枠として使用することにより、簡単に初動アシスト装置１が施工できる。したがって、施工コストが低減でき、工事が簡略化できるようになる。
【００３０】
また、前記初動アシスト装置１が、引戸２ではなく、縦枠４に設けられているため、引戸２の重量が増加せず、引戸２の重量増加に伴う初動に必要な力の増加もないため、初動の操作力が低減でき、前記初動アシスト装置１によるアシスト効果が充分に発揮できるようになる。
【００３１】
以下、各部について詳細に説明すると、
前記縦枠４は、図２に示されるように、引戸２の上下方向のほぼ全長に亘って延びるとともに、引戸２の開閉方向に長い断面略長方形の中空部材からなり、引戸側端面（縦枠見込面）の上部に、前記引戸押圧アーム６が出没可能な部材長手方向に長いスリット状の開口４ａが設けられるとともに、室内外方向側端面（縦枠見付面）の少なくとも一方の面の下端部に、前記操作部材８が突出し上下方向に沿って移動可能な切欠部４ｂが設けられている。前記初動アシスト装置１を前記縦枠４に組み込んだ組立状態では、前記切欠部４ｂから前記操作部材８が突出した状態で、前記初動アシスト装置１が縦枠４の内空部に収容されている。
【００３２】
次いで、前記初動アシスト装置１を構成する前記引戸押圧部５は、図４及び図５に示されるように、前述の引戸押圧アーム６と、前記縦枠４内に固定され、前記引戸押圧アーム６を揺動自在に支持するアーム保持枠１３と、前記引戸押圧アーム６を縦枠４（前記アーム保持枠１３）に没入する方向の付勢力を与えるスプリング部材１４と、前記引戸押圧アーム６の先端に回動自在に支持されるローラ１５とから主に構成されている。
【００３３】
前記引戸押圧アーム６は、金属板の成形により略断面コ字状に加工された部材であり、その対峙する両壁面６ａ、６ａは、前記ローラ１５が係合できる程度に離隔している。図３(A)に示されるように、この対峙する両壁面６ａ、６ａは、室内外方向に対面する方向に配置され、これら両壁面に架設される懸架面６ｂが引戸側端部に設けられている。前記対峙する両壁面６ａの平面形状は、図３(A)に示されるように、引戸押圧アーム６が縦枠４に没入した平常状態において、引戸開方向側の外形線が、略上下方向に延びる直線からなる一方で、これと反対側の引戸閉方向側の外形線は、引戸開方向側の外形線との離隔距離が上方に向けて漸次増加する形状で形成されている。この対峙する両壁面６ａ、６ａの上方には、前記懸架面６ｂ側の角部に、前記アーム保持枠１３に支持された室内外方向に沿って配置された回動支軸１６が挿通するための通孔６ｃが形成されるとともに、これと反対側の角部に、前記作動伝達部材９の上端が掛止される上部掛止軸１７が挿通するための通孔６ｄが形成されている。また、前記通孔６ｄの下部には、前記スプリング部材１４の下端部が支持される下部支軸１８が挿通するための通孔６ｅが形成されている。更に、対峙する両壁面６ａ、６ａの下方には、前記ローラ１５を回動自在に支持する回転軸１９が挿通するための通孔６ｆが形成されている。
【００３４】
前記アーム保持枠１３は、金属板の成形により略断面コ字状に加工された部材であり、その対峙する両壁面は、前記引戸押圧アーム６が係合できる程度に離隔している。図３に示されるように、この対峙する両壁面は、室内外方向に対面する方向に配置され、これら両壁面に架設される懸架面が引戸側端部に設けられている。この懸架面の上下部にはそれぞれ、引戸押圧部５を縦枠４の内空部に装入した状態でビス止めするためのネジ孔１３ａが形成されている（図５(B)）。また、この懸架面の中間部には、前記引戸押圧アーム６が出没可能な開口１３ｂが形成されている。前記対峙する両壁面の上方には、前記スプリング部材１４の上端部が支持される上部支軸２０が挿通するための通孔１３ｃが形成されている。また、前記対峙する両壁面のうち、前記懸架面に形成された開口１３ｂの上端部近傍位置には、前記引戸押圧アーム６を揺動自在に支持する室内外方向に沿って配置された回動支軸１６が挿通するための通孔１３ｄが形成されている。
【００３５】
前記引戸押圧部５の組立ては、引戸押圧アーム６に、ローラ１５を回転軸１９により支持するとともに、スプリング部材１４の下端部を下部支軸１８により支持し、かつ作動伝達部材９の上端部を上部掛止軸１７により支持した状態で、アーム保持枠１３の対峙する両壁面の間に装入し、回動支軸１６をアーム保持枠１３の通孔１３ｄ及び引戸押圧アーム６の通孔６ｃを通して挿通し、対峙面側で先端をカシメて固定するとともに、スプリング部材１４の上端部を上部支軸２０によってアーム保持枠１３に支持する。
【００３６】
前記引戸押圧部５の組立状態では、図５に示されるように、スプリング部材１４の付勢力により、引戸押圧アーム６がアーム保持枠１３の開口１３ｂの内部に没入した状態に保持されている。この引戸押圧部５には、上部掛止軸１７に上端部が支持された作動伝達部９が垂下されている（図５では省略）。この作動伝達部材９が下方に引っ張られることにより、引戸押圧アーム６が前記スプリング部材１４の付勢力に抗して回動支軸１６を中心に揺動し、引戸押圧アーム６がアーム保持枠１３の開口１３ｂから突出するようになっている。
【００３７】
次いで、前記操作部７について詳細に説明する。この操作部７は、図６及び図７に示されるように、前記作動伝達部材９の下端部が連結され、前記引戸押圧アーム６を操作する操作部材８と、この操作部材８を縦枠４の部材長手方向に沿ってスライド自在に支持するガイド部材２１と、前記操作部材８が初期位置に戻る方向の付勢力を与えるスプリング部材２２とから構成されている。
【００３８】
前記操作部材８は、略Ｌ字形に形成された部材であり、縦枠４の見付面からほぼ垂直に突出した状態で設けられ、引戸２の開操作時に使用者が操作する操作部材本体８Ａと、前記操作部材本体８Ａとほぼ直交する縦枠４の部材長手方向に沿って延び、前記ガイド部材２１内を縦枠４の部材長手方向に沿ってスライド可能に設けられるスライダー８Ｂとから構成されている。
【００３９】
前記操作部材本体８Ａは、使用者が手や足などで操作しやすいように、表面がほぼ平坦に形成された操作面を備えている。前記操作部材本体８Ａは、図示例では室内外方向の一方側のみに設けられているが、室内外方向の両方に設けることにより、室内外方向の両方から操作できるようにしてもよい。前記操作部材本体８Ａを室内外方向の両方に設けた場合には、縦枠４に形成される切欠部４ｂも室内外方向の両方に形成されるようにする。
【００４０】
前記スライダー８Ｂは、上面に、所定幅のスリット８ａが形成され、このスリット８ａの両側壁間を貫通するように、前記スプリング部材２２の下端部が掛止される第１支軸２３が跨設されるとともに、前記作動伝達部材９の下端部が掛止される第２支軸２４が跨設されている。また、前記スライダー８Ｂの両側面には、上方の前面側及び下方の背面側にそれぞれ、前記ガイド部材２１の壁面に係合してスライダー８Ｂがガイド部材２１内をスムーズにスライドできるようにするための突起部又はローラなどからなる係合部材８ｂが設けられている。
【００４１】
前記ガイド部材２１は、縦枠４にほぼ内接する外形を有するとともに、縦枠４の部材長手方向に沿って上下端が開口する中空状に形成され、且つ前面の幅方向中間部に上下方向の全長に亘って開口部が形成されることにより、断面略Ｃ形に形成されている。このガイド部材２１の前面の開口部から前記操作部材８の操作部材本体８Ａが突出するとともに、ガイド部材２１の中空部を上下方向に沿って前記操作部材８のスライダー８Ｂがスライド可能に設けられている。内空部の背面の上方には、前記スプリング部材２２の上端部が掛止される支軸２１ａが内空部に向けて突設されている。また、両側面の上方及び下方には、縦枠４の外面側から挿入した固定ビスが螺入されるネジ孔２１ｂが形成されている。
【００４２】
前記操作部７の変形例として、図８〜図１０に示されるように、前記操作部材本体８Ａを、縦枠４側に折り畳み可能に設けてもよい。つまり、図８及び図１０(B)、(C)に示されるように、操作部材本体８Ａが縦枠４から突出し、操作面を上方に向けて操作面による所定の操作が可能な状態と、図１０(A)に示されるように、操作部材本体８Ａを略９０°回転させて操作面を縦枠４側に向けて折り畳んで、操作面による所定の操作が不可能な状態とが切り替え可能となっている。前記操作部材８は、図９の分解斜視図に示されるように、操作部材本体８Ａがスライダー８Ｂに対し、支軸８Ｃによって回動自在に連結された構造からなり、前記操作部材本体８Ａの基端側端面及び上面の基端部がスライダー８Ｂ側に当接することにより、略９０°の角度範囲で回動できるようになっている。通常は、図１０(A)に示されるように、操作部材本体８Ａを縦枠４側に折り畳んだ状態にしておき、操作部材本体８Ａの縦枠４からの突出量を最小限に抑え、人や物が衝突するのを軽減するとともに、外観が悪化するのを防止する。そして、引戸の開操作時に、使用者が操作部材本体８Ａの折り畳み状態から展開して、縦枠４から突出した状態（図１０(B)の状態）とし、操作面を押して引戸の開操作を行った後、使用者が操作部材本体８Ａを折り畳み状態に戻す操作を行う。
【００４３】
前記操作部７の組立ては、前記第１支軸２３にスプリング部材２２の下端部を掛止するとともに、前記第２支軸２４に作動伝達部材９の下端部を掛止した前記操作部材８を、ガイド部材２１の下端の開口から装入し、前記スプリング部材２２の上端部を前記支軸２１ａに掛止する。
【００４４】
前記作動伝達部材９としては、操作部材８の操作による作動力を引戸押圧アーム６に伝達可能な部材であれば特に限定されない。図示例ではワイヤを用いているが、棒材や板材、又はこれらの一方又は両方をリンク部で接続したリンク機構などを用いてもよい。
【００４５】
上述のようにして組み立てられた初動アシスト装置１を縦枠４に取り付けるには、縦枠４の下端の開口から前記引戸押圧部５を装入し、縦枠４の開口４ａにアーム保持枠１３の開口１３ｂを臨ませた状態で、縦枠４の外面側からネジ孔１３ａに固定ビスを螺入して固定するとともに、操作部７の操作部材本体８Ａを縦枠４の下端部の切欠部４ｂから外側に突出させた状態で前記操作部７を縦枠４内に装入し、縦枠４の外面側からネジ孔２１ｂに固定ビスを螺入して固定する。初動アシスト装置１が組み立てられた初期状態では、前記スプリング部材２２の付勢力により、前記操作部材本体８Ａが縦枠４の切欠部４ｂの上端部に位置するとともに、前記スプリング部材１４の付勢力により前記引戸押圧アーム６が縦枠４の内部に没入している。
【００４６】
前記初動アシスト装置１が備えられた引戸２を開操作するには、図２(B)及び図３(B)に示されるように、使用者が縦枠４から突出した操作部材８の操作部材本体８Ａの上面を押して操作部材８をスプリング部材２２の付勢力に抗して下方に移動させるのに連動して、この作動力が作動伝達部材９を介して引戸押圧アーム６に伝達され、引戸押圧アーム６が、スプリング部材１４の付勢力に抗して、回動支軸１６を中心に揺動し、縦枠４の開口４ａから突出する。これによって、引戸押圧アーム６の下端に設けられたローラ１５が引戸２の戸先側端部を押圧し、引戸２が開方向にスライドし、開操作時の初動が補助される。このように、引戸押圧アーム６の下端にローラ１５が設けられているため、引戸２の戸先側端部に当接したローラ１５が回転することにより、引戸２に摺接痕が形成されるのが抑制されるとともに、引戸２をスムーズに開操作できるようになる。使用者が前記操作部材本体８Ａを押すのを止めると、操作部材本体８Ａがスプリング部材２２の付勢力により縦枠４の切欠部４ｂの上端位置に戻るとともに、引戸押圧アーム６がスプリング部材１４の付勢力により縦枠４に没入した位置に戻るようになる。
【００４７】
図１及び図２に示される形態例では、前記操作部材８が縦枠４の下端部に取り付けられ、使用者が前記操作部材８を足で踏んで下方に移動することにより前記引戸押圧アーム６を操作するように成されている。この形態は、手の力が弱い子供や高齢者、手に障害のある人などに好適である。
【００４８】
また、前記操作部材８は、図１１に示されるように、前記縦枠４の高さ方向の中間部に取り付けられ、使用者が手で押して下方に移動することにより前記引戸押圧アーム６を操作するようにしてもよい。これにより、車椅子に乗った人など脚の不自由な人でも引戸２の開操作時の初動が補助できるようになる。また、作動伝達部材９の長さが短くて済むため、ワイヤの伸びなどによる作動力の損失が抑えられる。
【００４９】
更に、前記操作部材８の操作は、下方に移動させる形態に限定されず、例えば、上方へ引き上げたり、手前に引っ張ったりすることによって、引戸押圧アーム６を作動させる構成としてもよい。上方へ引き上げる構成とするには、上記の初動アシスト装置１の上下を逆転した構造とすればよく、手前に引っ張る構成とするには、中間に滑車などを設けて作動伝達部材９の引張方向を９０°回転した構造とすればよい。また、前記操作部材８を移動する形態に代えて、ハンドルなどを回転することにより、引戸押圧アーム６を作動させる構成としてもよい。
【００５０】
既設の引戸に対して前記初動アシスト装置１を後付けで施工するには、引戸２の戸先側に位置する既設の縦枠に対して、この縦枠の引戸側端面に、前記初動アシスト装置１が備えられた縦枠エレメントを取り付けるのが好ましい。これにより、前記初動アシスト装置１が備えられた縦枠エレメントの分だけ建物の開口部の幅が狭くなるものの、既設の縦枠を取り外すことなく、初動アシスト装置１を施工することができるようになる。このとき、特開2016-223259号公報（上記特許文献１）に開示されるような、引戸２の上端部及び戸枠の鴨居側との間において、引込み装置本体と前記引込み装置本体側に突出した状態で固設される係合ピンとからなる引込み装置が備えられる場合、前記係合ピンの位置を、前記初動アシスト装置１が備えられた縦枠４の幅寸法だけ、引戸２の開方向に移動して、引込み装置本体との係合位置を調整するのが好ましい。
【００５１】
また、既設の引戸に対して前記初動アシスト装置１を後付けで施工する場合において、上記の施工方法に代えて、引戸２の戸先側に位置する既設の縦枠を取り外し、前記初動アシスト装置１が備えられた新たな縦枠４を施工するようにしてもよい。
【００５２】
更に、前記初動アシスト装置１を新設の引戸に設ける場合には、前記初動アシスト装置１が備えられた縦枠４を引戸の戸先側の縦枠として使用するのが好ましい。
【符号の説明】
【００５３】
１…初動アシスト装置、２…引戸、３…開口部、４…縦枠、５…引戸押圧部、６…引戸押圧アーム、７…操作部、８…操作部材、９…作動伝達部材、１３…アーム保持枠、１４…スプリング部材、１５…ローラ、１６…回動支軸、２１…ガイド部材、２２…スプリング部材
【図１】
2020084404.tif 000003
【図２】
2020084404.tif 000004
【図３】
2020084404.tif 000005
【図４】
2020084404.tif 000006
【図５】
2020084404.tif 000007
【図６】
2020084404.tif 000008
【図７】
2020084404.tif 000009
【図８】
2020084404.tif 000010
【図９】
2020084404.tif 000011
【図１０】
2020084404.tif 000012
【図１１】
2020084404.tif 000013